(57)【要約】【課題】手のひらの上でバランスを保ったまま、ジャンプさせたり、回転させたりするパフォーマンスが容易に可能となるパフォーマンス用遊具の開発。【解決手段】長さ５０〜７０ｃｍ、重さ１００ｇ〜２００ｇ、両端が布、ゴム、プラスティックを含むいずれか１つ以上の材質で覆われていることを特徴する丸棒において、課題に示したパフォーマンスを容易に行うことが可能となる。【選択図】　図１
2004000393.tif 000002
【特許請求の範囲】
【請求項１】
手のひらの上でバランスを取るパフォーマンスをすることを目的とした、長さ５０〜７０ｃｍ、重さ１００〜２００ｇ、両端が布、ゴム、プラスティックを含むいずれか１つ以上の材質で覆われていることを特徴とする丸棒
【請求項２】
棒の材質が木材、金属、ゴムまたはプラスティックのいずれか１つ以上の材質であることを特徴とする請求項１に記載の丸棒
【発明の詳細な説明】
【０００１】
【発明の属する技術分野】
本発明は手のひらの上でバランスを取りながら、その状態でジャンプ、回転などをさせることができるパフォーマンス用遊具に関する。
【０００２】
【従来の技術】
近年、ジャグリングに代表されるようなパフォーマンスが注目されるようになり、ボールやクラブ、ディアポロ（中国ゴマ）、トーチ、シガーボックス、デビルスティックなどの様々な道具を用いたパフォーマンスが見られるようになっている。
【０００３】
その中で体の一部で棒のバランスをとるパフォーマンスも知られており、具体的には手のひら、足、顎、おでこなどで行われる。これらのパフォーマンスは基本的には棒のバランスをとる続けることを目的としている。
【０００４】
更には棒のバランスをとり続けるだけではなく、バランスを保ったままその棒をジャンプさせたり、回転させたりすることも可能である。デビルスティックの様々なテクニックについて記載されている「デビルスティック大全（矢熊伸之介監修、ジャグリングショップナランハ発行）」のＰ１０９〜１１３には、デビルスティックのセンタースティックを用いた、様々なバランスの手法について紹介されている。
【０００５】
しかしながら、デビルスティックは基本的には両手にもったハンドスティックでセンタースティックをたたくパフォーマンスであり、センタースティックはコントロールしやすくするため長く（市販品においては６６〜７０ｃｍ程度）、また耐久性を持たせるため幅が太く重い（市販品においては２２０〜２８０ｇ程度）棒となってしまう。そのため手のひらの上でバランスを保ったまま棒をジャンプさせたり、回転させたりするパフォーマンスに際しては、必ずしも十分な性能を有していなかった。
【０００６】
【発明が解決しようとする課題】
上記のような問題があるため、手のひらの上でバランスを保ったまま、ジャンプさせたり、回転させたりするパフォーマンスが容易に可能となるパフォーマンス用遊具の開発につき検討した。
【０００７】
【課題を解決するための手段】
本問題を解決するため鋭意検討した結果、長さ５０〜７０ｃｍ、重さ１００〜２００ｇ、両端が布、ゴム、プラスティックを含むいずれか１つ以上の材質で覆われていることを特徴する丸棒において、目的のパフォーマンスを容易に行えることが判明した。
【０００８】
【発明の実施の形態】
手のひらの上でバランスをとり続けるという目的においては、どのような棒でも問題にはならず、例えば幼少の頃は多くの人が箒などでそのパフォーマンスを実施したものである。しかしながら、単純に手のひらの上でバランスをとり続けるだけではインパクトにかけるため、そのことを主体としたパフォーマンスはほとんど見られなかった。
【０００９】
今回本発明者は、バランスを主体としたパフォーマンスでは、手のひらの上で棒のバランスをとり続けるだけでなく、ジャンプさせたり、回転させたりを自由自在にすることで、インパクトを強める必要があると考えた。しかしながら、従来の棒、例えばデビルスティックのセンタースティック及びハンドスティックやバトン、ビリヤード用のキュー、バットなどは本目的とは別の用途の使用を前提としており、本目的を満たすには不十分であることが判明した。そのため手のひらの上でバランスをとり続けるだけでなく、ジャンプさせたり、回転させたりが容易に出来る棒の開発が必要と考え、その結果本発明に至った。
【００１０】
その棒の特性として重要なことは、長さ、重さ、両端の材質である。
【００１１】
長さであるが、一般に棒の長さが長くなるほど、バランスを容易に取ることは可能であるので、バランスをとり続けるだけで有れば、棒の長さは長い方が良い。しかしながら、今回の発明の目的はジャンプさせたり、回転させたりを自由自在にすることであり、そのためにはハンドリング向上のため長さを短くする必要があった。一方、短すぎると棒のバランスを取ることが困難になるため、ある程度の棒の長さが必要であると考え、種々検討の結果、５０〜７０ｃｍが、更に望ましくは５５〜６５ｃｍが良好であった。
【００１２】
重さであるが、軽すぎると野外で行った場合に風の影響を受けてしまうこと、また棒を回転後、手のひらで棒を握ることなくキャッチするが、その際に手のひらの上で棒がぶれてしまい、操作性が悪くなることが判明した。一方重すぎると、連続回転時の腕への負担が大きくなるため回転速度が低下し、パフォーマンスの見栄えが悪くなること、また操作ミスをした場合の怪我のリスクが高くなることが判明し、棒の重さが適正である必要があると考え、種々検討の結果、１００〜２００ｇが、更に望ましくは１５０〜２００ｇが良好であった。
【００１３】
また棒の形状としては丸棒が好ましい。これは角張った棒では操作ミスをした際の怪我のリスクが極めて高くなる事による。楕円であっても問題ではないが、操作性を考えると均一な円であることが望ましい。
【００１４】
棒の直径であるが、基本的には長さ、重さの用件を満たしていれば問題にはならないが、太すぎると第三者から見て筒のように見えてしまい、バランスを取ることが容易に思われてしまうため、見栄えなどを含めて考えると望ましくは１５〜２５ｍｍが良い。
【００１５】
両端は手のひらと直接接する部分であるため、何らかの保護が必要であり、そのためその材質は極めて重要となる。布、ゴム、プラスティックを含むいずれか１つ以上の材質で、手のひらと繰り返し接触しても手のひらに怪我をさせないこと、操作ミスにより棒の一端がコンクリート製の地面などとぶつかっても壊れないこと、また柔らかすぎないことを満たすカバーであればよい。
【００１６】
怪我を防ぐには柔らかい材質が良いように思われるが、回転させる際には、棒に力を正確に伝える必要があるため、柔らかい材質では力が吸収されてしまうことが問題であった。
【００１７】
そのカバーの大きさは、本発明においては特に限定されないが、あまり大きすぎると棒の重量を増すこと、また重心が不安定となることから、望ましくは長さ５ｃｍ以下、直径１５〜４０ｍｍの範囲がよい。
【００１８】
また、棒の材質であるが、基本的には上記の用件を満たすものであれば、何であっても問題でなく、望ましくは木材、金属、ゴムまたはプラスティックのいずれか１つ以上の材質であることを特徴とする丸棒であればよい。但し、棒自体がしなったりすると、回転させることが困難であるので、そのような素材は好ましくない。
【００１９】
本発明により得られた棒を用いることで、バランスを主体としたパフォーマンスの可能性が著しく広がり、例えば曲に合わせてあたかも棒が意志を持ったかのように自由自在に動いているように見えるパフォーマンスも可能となった。
【００２０】
以下に実施例を示すが、本内容は本発明の一例であり、本発明の請求範囲を制限するものではない。
【００２１】
【実施例】
１，棒の作成
棒として、重さ１７０ｇ、長さ６０ｃｍ、直径２１ｍｍの木製の丸棒を原料に、両端を市販のフェルト付脚キャップ（ＦＫＧ−２１２（２１ｍｍ）丸）、光株式会社）をはめ込むことにより、目的の棒を作成した。キャップの材質はエラストマー樹脂とフェルトであった。
【００２２】
２，従来品との比較１（片手連続回転数の比較）
従来のパフォーマンスに用いる棒との比較のため、１本の棒を右手のひらの上でバランスを保ったまま、１分間に速くかつバランスを崩すことなく１回転させ、棒を握ることなくキャッチを連続何回転できるか熟達者により実施した。失敗した場合はそれまでの回数を記録とした。それぞれについて３回実施し、その平均値（小数点以下は四捨五入）を調べた。
【００２３】
比較例としてデビルスティックのセンタースティック（重さ２３０ｇ、長さ６８ｃｍ、直径３４ｍｍ（端）、１８ｍｍ（中央）、材質は木材でアルミ紙でコーティングされているもの、両端はゴム付）、ハンドスティック（重さ７０ｇ、長さ４９ｃｍ、直径１４ｍｍ、材質は木材でゴムでコーティングされているもの、両端のカバーなし）［いずれもＤＰ　Ｇｒｏｕｐ社製］を使用した。
【００２４】
その結果、デビルスティックのセンタースティックでは８１回、ハンドスティックでは４０回であるのに対し、実施例１で示した棒では１０３回で、従来品より速く回転させることができ、本発明品の優位性が示された。
【００２５】
３，従来品との比較２（片手最高回転数の比較）
１本の棒を右手のひらの上でバランスを保ったまま、空中で何回転させて、棒を握ることなくキャッチが可能かについて、実施例２で使用した棒にて熟達者により３回実施し、その最高値についてそれぞれ比較した。
【００２６】
その結果、デビルスティックのセンタースティックでは２．５回転、ハンドスティックでは３回転であったのに対し、実施例１で示した棒では４回転でより高い回転をかけることができ、本発明品の優位性が示された。
【００２７】
４，従来品との比較３（両手連続回転数の比較）
２本の棒を左手と右手の手のひらの上でそれぞれバランスを保ったまま、１分間にバランスを崩すことなく速くかつ同時に１回転させ、棒を握ることなくキャッチを連続何回転できるかについて、実施例２で使用した棒にて熟達者により実施した。失敗した場合はそれまでの回数を記録とした。それぞれについて３回実施し、その平均値（小数点以下は四捨五入）を調べた。
【００２８】
その結果、デビルスティックのセンタースティックでは１４回、ハンドスティックでは０回であるのに対し、実施例１で示した棒では２０回で、従来品より速く回転させることができ、本発明品の優位性が示された。
【００２９】
【発明の効果】
本発明において、手のひらの上でバランスを保ったまま、ジャンプさせたり、回転させたりするパフォーマンスが容易に可能となる棒の開発に成功した。本棒を使用することで、様々なパフォーマンスができるようになり、パフォーマーの表現できる範囲が広がった。また、本パフォーマンスは従来のボールやクラブなどを用いたジャクリングと異なり、その道具を手で握らない事を特徴とするため脳に与える刺激も異なると予想され、運動能力の向上という点からも興味深いパフォーマンス用遊具であると考える。
【００３０】
【図面の簡単な説明】
【図１】本発明品の正面図である
【図２】カバー部分の断面図である
【符号の説明】
１　丸棒
２　カバー
【図１】
2004000393.tif 000003
【図２】
2004000393.tif 000004